(57)【要約】【課題】磁気テープを変形させることなくテープリールを確実にロックし得るカートリッジケースを提供する。【解決手段】ケース本体と、平面視弧状の歯部２１ｂが底板２１ａの内面に形成された有底筒状のハブ２１を有してケース本体内に回転可能に収容されたテープリール３と、歯部２１ｂに噛合する平面視環状の歯部５１ａがその底部に形成されると共に底板２１ａに向けて付勢されかつ底板２１ａに対して接離する方向に沿って移動可能にケース本体内に収容されてテープリール３の回転を制止するロック部材５とを備え、ロック部材５は、歯部５１ａの内周側に形成されて歯部５１ａの歯先よりも底板２１ａ側に突出すると共に歯部２１ｂと歯部５１ａとの噛合状態において歯部２１ｂによって形成される筒状体の内側でその筒状体に嵌合する位置決め用凸部５１ｂを備えている。【選択図】図７
2005339753.tif 000002
【特許請求の範囲】
【請求項１】
ケース本体と、平面視環状または平面視弧状の第１歯部がその底板の内面に形成された有底筒状のハブを有して前記ケース本体内に回転可能に収容されたテープリールと、前記第１歯部に噛合する平面視環状の第２歯部がその底部に形成されると共に前記底板に向けて付勢されかつ当該底板に対して接離する方向に沿って移動可能に前記ケース本体内に収容されて前記テープリールの回転を制止するロック部材とを備え、
前記ロック部材は、前記第２歯部の内周側に形成されて当該第２歯部の歯先よりも前記底板側に突出すると共に前記第１歯部と当該第２歯部との噛合状態において当該第１歯部によって形成される筒状体の内側で当該筒状体に嵌合する内周側の凸部、および前記第２歯部の外周側に形成されて当該第２歯部の歯先よりも前記底板側に突出すると共に前記噛合状態において前記筒状体の外側で当該筒状体に嵌合する外周側の凸部の少なくとも一方を備えているカートリッジケース。
【請求項２】
前記少なくとも一方の凸部は、前記噛合状態において前記第１歯部の側面に対向する面がその先端に向かうに従って当該側面から徐々に離間するように形成されている請求項１記載のカートリッジケース。
【請求項３】
前記ロック部材は、前記内周側の凸部および前記外周側の凸部のうちの当該内周側の凸部のみを備えている請求項１または２記載のカートリッジケース。
【請求項４】
ケース本体と、平面視環状または平面視弧状の第１歯部がその底板の内面に形成された有底筒状のハブを有して前記ケース本体内に回転可能に収容されたテープリールと、前記第１歯部に噛合する平面視環状の第２歯部がその底部に形成されると共に前記底板に向けて付勢されかつ当該底板に対して接離する方向に沿って移動可能に前記ケース本体内に収容されて前記テープリールの回転を制止するロック部材とを備え、
前記テープリールは、前記第１歯部の内周側に形成されて当該第１歯部の歯先よりも前記ハブの開口部側に突出すると共に当該第１歯部と前記第２歯部との噛合状態において当該第２歯部の内周側で前記ロック部材に嵌合する内周側の凸部、および前記第１歯部の外周側に形成されて当該第１歯部の歯先よりも前記開口部側に突出すると共に前記噛合状態において前記第２歯部の外周側で前記ロック部材に嵌合する外周側の凸部の少なくとも一方を備えているカートリッジケース。
【請求項５】
前記少なくとも一方の凸部は、前記噛合状態において前記ロック部材における前記第２歯部の内周側および外周側のいずれかの側面に対向する面がその先端に向かうに従って当該側面から徐々に離間するように形成されている請求項４記載のカートリッジケース。
【請求項６】
ケース本体と、平面視環状または平面視弧状の第１歯部がその底板の内面に形成された有底筒状のハブを有して前記ケース本体内に回転可能に収容されたテープリールと、前記第１歯部に噛合する平面視環状の第２歯部がその底部に形成されると共に前記底板に向けて付勢されかつ当該底板に対して接離する方向に沿って移動可能に前記ケース本体内に収容されて前記テープリールの回転を制止するロック部材とを備え、
前記テープリールは、前記第１歯部の外周側に形成されて当該第１歯部の歯先よりも前記ハブの開口部側に突出すると共に当該第１歯部と前記第２歯部との噛合状態において当該第２歯部の外周側で前記ロック部材に嵌合する外周側の凸部を備え、
前記ロック部材は、前記第２歯部の内周側に形成されて当該第２歯部の歯先よりも前記底板側に突出すると共に前記噛合状態において前記第１歯部によって形成される筒状体の内側で当該筒状体に嵌合する内周側の凸部を備えているカートリッジケース。
【請求項７】
前記外周側の凸部は、前記噛合状態において前記ロック部材における前記第２歯部の外周側の側面に対向する面がその先端に向かうに従って当該側面から徐々に離間するように形成され、
前記内周側の凸部は、前記噛合状態において前記第１歯部の側面に対向する面がその先端に向かうに従って当該側面から徐々に離間するように形成されている請求項６記載のカートリッジケース。
【請求項８】
ケース本体と、平面視環状または平面視弧状の第１歯部がその底板の内面に形成された有底筒状のハブを有して前記ケース本体内に回転可能に収容されたテープリールと、前記第１歯部に噛合する平面視環状の第２歯部がその底部に形成されると共に前記底板に向けて付勢されかつ当該底板に対して接離する方向に沿って移動可能に前記ケース本体内に収容されて前記テープリールの回転を制止するロック部材とを備え、
前記テープリールは、前記第１歯部の内周側に形成されて当該第１歯部の歯先よりも前記ハブの開口部側に突出すると共に当該第１歯部と前記第２歯部との噛合状態において当該第２歯部の内周側で前記ロック部材に嵌合する内周側の凸部を備え、
前記ロック部材は、前記第２歯部の外周側に形成されて当該第２歯部の歯先よりも前記底板側に突出すると共に前記噛合状態において前記第１歯部によって形成される筒状体の外側で当該筒状体に嵌合する外周側の凸部を備えているカートリッジケース。
【請求項９】
前記内周側の凸部は、前記噛合状態において前記ロック部材における前記第２歯部の内周側の側面に対向する面がその先端に向かうに従って当該側面から徐々に離間するように形成され、
前記外周側の凸部は、前記噛合状態において前記第１歯部の側面に対向する面がその先端に向かうに従って当該側面から徐々に離間するように形成されている請求項８記載のカートリッジケース。
【請求項１０】
請求項１から９のいずれかに記載のカートリッジケースを備えている情報記録媒体。
【発明の詳細な説明】
【技術分野】
【０００１】
本発明は、有底筒状のハブを有するテープリールと、テープリールの回転を制止するロック部材とを備えたカートリッジケース、およびそのカートリッジケースを備えた情報記録媒体に関するものである。
【背景技術】
【０００２】
大容量のデータを記録可能な情報記録媒体として、単一のテープリールをケース本体内に収容した１リールタイプのテープカートリッジが従来から知られている。この種のテープカートリッジは、ドライブ装置に装着した際に、テープリールにおけるハブの底板外面に設けた駆動用歯部とドライブ装置の駆動シャフトに設けた駆動用歯部とを噛合させてテープリールを回転させることにより、磁気テープを巻回可能に構成されている。また、この種のテープカートリッジは、非使用時において、テープリールにおけるハブの底板内面に設けたロック用歯部とケース本体内に配設されたロック部材に設けたロック用歯部とを噛合させることにより、テープリールの回転を制止可能に構成されている。この場合、テープリールをスムーズに回転させるためには、テープリールとケース本体との間に所定のクリアランスを設ける必要がある。このため、この種のテープカートリッジには、テープリールがこのクリアランス分だけケース本体内で移動することに起因して、テープリールとドライブ装置の駆動シャフトとの間に芯ずれ（位置ずれ）が生じて両者の駆動用歯部が完全には噛合しないことがあり、このようなときには磁気テープの巻回が困難となるおそれがあるという問題点が存在する。また、テープリールがケース本体内で移動することに起因して、テープリールとロック部材との間に芯ずれが生じて両者のロック用歯部が完全には噛合しないことがあり、このようなときにはテープリールのロックが不完全となってテープリールに巻回された磁気テープが弛むおそれがあるという問題点も存在する。
【０００３】
このような問題点を解決可能な技術として、特開２００２−３４３０５８号公報には、リール（テープリール）におけるリールハブ（ハブ）の内周面にリブを設けた磁気テープカートリッジが開示されている。この磁気テープカートリッジは、ロック部材のロック歯とリールのロック歯とが噛合しているロック状態において、リブの先端部とロック部材の外周面とのクリアランスが少なくなるように構成されている。このため、例えば、磁気テープカートリッジが縦置きの状態（リールの軸線がほぼ水平となる状態）でドライブ装置にセットされたとしても、リブがロック部材の外周に当接することにより、ロック部材とロック部材によってロックされたリールとの移動が規制される。したがって、リールとドライブ装置の回転駆動部材（駆動シャフト）との間の芯ずれやリールとロック部材との芯ずれが抑えられる結果、各歯（ギヤ）同士の確実な噛合が可能となっている。
【特許文献１】特開２００２−３４３０５８号公報（第３−４頁、第１図）
【発明の開示】
【発明が解決しようとする課題】
【０００４】
ところが、従来の磁気テープカートリッジには、以下の問題点がある。すなわち、この磁気テープカートリッジでは、リールハブの内周面に設けたリブの先端部とロック部材の外周面とのクリアランスを少なくすることによってリールの移動を規制している。一方、リールハブ（リール）は、一般的に、樹脂を射出成形することによって作製される。この場合、リールハブにおけるリブの形成部分が他の部分よりも肉厚なため、射出成形時にひけが発生してリールハブの外周面に凹凸が生じることがあり、このような凹凸が生じたリールハブに磁気テープを巻回したときには磁気テープが部分的に変形することがある。したがって、この磁気テープカートリッジには、磁気テープの変形に起因して、データの記録や読み出しに支障を来すおそれがあるという問題点が存在する。
【０００５】
本発明は、かかる問題点に鑑みてなされたものであり、磁気テープを変形させることなくテープリールを確実にロックし得るカートリッジケースおよび情報記録媒体を提供することを主目的とする。
【課題を解決するための手段】
【０００６】
上記目的を達成すべく本発明に係るカートリッジケースは、ケース本体と、平面視環状または平面視弧状の第１歯部がその底板の内面に形成された有底筒状のハブを有して前記ケース本体内に回転可能に収容されたテープリールと、前記第１歯部に噛合する平面視環状の第２歯部がその底部に形成されると共に前記底板に向けて付勢されかつ当該底板に対して接離する方向に沿って移動可能に前記ケース本体内に収容されて前記テープリールの回転を制止するロック部材とを備え、前記ロック部材は、前記第２歯部の内周側に形成されて当該第２歯部の歯先よりも前記底板側に突出すると共に前記第１歯部と当該第２歯部との噛合状態において当該第１歯部によって形成される筒状体の内側で当該筒状体に嵌合する内周側の凸部、および前記第２歯部の外周側に形成されて当該第２歯部の歯先よりも前記底板側に突出すると共に前記噛合状態において前記筒状体の外側で当該筒状体に嵌合する外周側の凸部の少なくとも一方を備えている。
【０００７】
この場合、前記噛合状態において前記第１歯部の側面に対向する面がその先端に向かうに従って当該側面から徐々に離間するように前記少なくとも一方の凸部を形成することができる。
【０００８】
また、前記内周側の凸部および前記外周側の凸部のうちの当該内周側の凸部のみを備えて前記ロック部材を構成することもできる。
【０００９】
また、本発明に係るカートリッジケースは、ケース本体と、平面視環状または平面視弧状の第１歯部がその底板の内面に形成された有底筒状のハブを有して前記ケース本体内に回転可能に収容されたテープリールと、前記第１歯部に噛合する平面視環状の第２歯部がその底部に形成されると共に前記底板に向けて付勢されかつ当該底板に対して接離する方向に沿って移動可能に前記ケース本体内に収容されて前記テープリールの回転を制止するロック部材とを備え、前記テープリールは、前記第１歯部の内周側に形成されて当該第１歯部の歯先よりも前記ハブの開口部側に突出すると共に当該第１歯部と前記第２歯部との噛合状態において当該第２歯部の内周側で前記ロック部材に嵌合する内周側の凸部、および前記第１歯部の外周側に形成されて当該第１歯部の歯先よりも前記開口部側に突出すると共に前記噛合状態において前記第２歯部の外周側で前記ロック部材に嵌合する外周側の凸部の少なくとも一方を備えている。
【００１０】
この場合、前記噛合状態において前記ロック部材における前記第２歯部の内周側および外周側のいずれかの側面に対向する面がその先端に向かうに従って当該側面から徐々に離間するように前記少なくとも一方の凸部を形成することができる。
【００１１】
また、本発明に係るカートリッジケースは、ケース本体と、平面視環状または平面視弧状の第１歯部がその底板の内面に形成された有底筒状のハブを有して前記ケース本体内に回転可能に収容されたテープリールと、前記第１歯部に噛合する平面視環状の第２歯部がその底部に形成されると共に前記底板に向けて付勢されかつ当該底板に対して接離する方向に沿って移動可能に前記ケース本体内に収容されて前記テープリールの回転を制止するロック部材とを備え、前記テープリールは、前記第１歯部の外周側に形成されて当該第１歯部の歯先よりも前記ハブの開口部側に突出すると共に当該第１歯部と前記第２歯部との噛合状態において当該第２歯部の外周側で前記ロック部材に嵌合する外周側の凸部を備え、前記ロック部材は、前記第２歯部の内周側に形成されて当該第２歯部の歯先よりも前記底板側に突出すると共に前記噛合状態において前記第１歯部によって形成される筒状体の内側で当該筒状体に嵌合する内周側の凸部を備えている。
【００１２】
この場合、前記噛合状態において前記ロック部材における前記第２歯部の外周側の側面に対向する面がその先端に向かうに従って当該側面から徐々に離間するように前記外周側の凸部を形成すると共に、前記噛合状態において前記第１歯部の側面に対向する面がその先端に向かうに従って当該側面から徐々に離間するように前記内周側の凸部を形成することができる。
【００１３】
また、本発明に係るカートリッジケースは、ケース本体と、平面視環状または平面視弧状の第１歯部がその底板の内面に形成された有底筒状のハブを有して前記ケース本体内に回転可能に収容されたテープリールと、前記第１歯部に噛合する平面視環状の第２歯部がその底部に形成されると共に前記底板に向けて付勢されかつ当該底板に対して接離する方向に沿って移動可能に前記ケース本体内に収容されて前記テープリールの回転を制止するロック部材とを備え、前記テープリールは、前記第１歯部の内周側に形成されて当該第１歯部の歯先よりも前記ハブの開口部側に突出すると共に当該第１歯部と前記第２歯部との噛合状態において当該第２歯部の内周側で前記ロック部材に嵌合する内周側の凸部を備え、前記ロック部材は、前記第２歯部の外周側に形成されて当該第２歯部の歯先よりも前記底板側に突出すると共に前記噛合状態において前記第１歯部によって形成される筒状体の外側で当該筒状体に嵌合する外周側の凸部を備えている。
【００１４】
この場合、前記噛合状態において前記ロック部材における前記第２歯部の内周側の側面に対向する面がその先端に向かうに従って当該側面から徐々に離間するように前記内周側の凸部を形成すると共に、前記噛合状態において前記第１歯部の側面に対向する面がその先端に向かうに従って当該側面から徐々に離間するように前記外周側の凸部を形成することができる。
【００１５】
また、本発明に係る情報記録媒体は、上記のカートリッジケースを備えている。
【発明の効果】
【００１６】
本発明に係るカートリッジケースおよび情報記録媒体によれば、第１歯部によって形成される筒状体の内側でその筒状体に嵌合する内周側の凸部、および筒状体の外側でその筒状体に嵌合する外周側の凸部の少なくとも一方を備えてロック部材を構成したことにより、第１歯部と第２歯部とを噛合させる際にテープリールとロック部材とを確実に位置決めすることができるため、第１歯部と第２歯部とを確実に噛合させることができる。また、非使用時においてテープリールとロック部材との相対的な位置ずれを確実に防止することができるため、例えば、カートリッジケース（情報記録媒体）に外力が加えられたとしても、第１歯部と第２歯部との確実な噛合状態を維持することができる。さらに、ハブの内周面にリブを設けていないため、例えば、射出成形によってハブ（テープリール）を製造する際に、ひけに起因する凹凸を生じさせることなくその外周面を滑らかに形成することができる。したがって、ハブにおける外周面の凹凸に起因する磁気テープの変形を生じさせることなくテープリールの回転を確実に制止することができる。
【００１７】
また、本発明に係るカートリッジケースおよび情報記録媒体によれば、内周側の凸部および外周側の凸部における第１歯部の側面に対向する面をその先端に向かうに従って第１歯部の側面から徐々に離間するように形成したことにより、ロック部材がハブの底板に向けて移動させられる際に、例えば、テープリールがロック部材に対して偏芯していたとしても、その先端部の面で内周側の凸部および外周側の凸部を嵌合位置にスムーズに案内することができるため、内周側の凸部および外周側の凸部の先端部と第１歯部とが衝突して両者が破損する事態を確実に防止することができる。
【００１８】
また、本発明に係るカートリッジケースおよび情報記録媒体によれば、内周側の凸部および外周側の凸部のうちの内周側の凸部のみを備えてロック部材を構成したことにより、例えばロック部材がテープリールに対して傾斜したとしても、内周側の凸部がテープリールの第１歯部に接触し難いため、内周側の凸部と第１歯部との接触に起因する異音の発生や両者の摩耗を確実に防止することができる。
【００１９】
また、本発明に係るカートリッジケースおよび情報記録媒体によれば、第２歯部の内周側でロック部材に嵌合する内周側の凸部、および第２歯部の外周側でロック部材に嵌合する外周側の凸部の少なくとも一方を備えてテープリールを構成したことにより、第１歯部と第２歯部とを噛合させる際にテープリールとロック部材とを確実に位置決めすることができるため、第１歯部と第２歯部とを確実に噛合させることができる。また、非使用時においてテープリールとロック部材との相対的な位置ずれを確実に防止することができるため、例えば、カートリッジケース（情報記録媒体）に外力が加えられたとしても、第１歯部と第２歯部との確実な噛合状態を維持することができる。さらに、ハブの内周面にリブを設けていないため、例えば、射出成形によってハブを製造する際に、ひけに起因する凹凸を生じさせることなくその外周面を滑らかに形成することができる。したがって、ハブにおける外周面の凹凸に起因する磁気テープの変形を生じさせることなくテープリールの回転を確実に制止することができる。
【００２０】
また、本発明に係るカートリッジケースおよび情報記録媒体によれば、内周側の凸部および外周側の凸部におけるロック部材の側面に対向する面をその先端に向かうに従ってロック部材の側面から徐々に離間するように形成したことにより、ロック部材がハブの底板に向けて移動させられる際に、例えば、テープリールがロック部材に対して偏芯していたとしても、その先端部の面で内周側の凸部および外周側の凸部を嵌合位置にスムーズに案内することができるため、内周側の凸部および外周側の凸部の先端部と第２歯部とが衝突して両者が破損する事態を確実に防止することができる。
【００２１】
また、本発明に係るカートリッジケースおよび情報記録媒体によれば、第２歯部の外周側でロック部材に嵌合する外周側の凸部を備えてテープリールを構成し、第１歯部によって形成される筒状体の内側でその筒状体に嵌合する内周側の凸部を備えてロック部材を構成したことにより、テープリールとロック部材とをより確実に位置決めすることができる。また、テープリールとロック部材との相対的な位置ずれをより確実に防止することができる。さらに、ハブの内周面にリブを設けていないため、ひけに起因する凹凸を生じさせることなくその外周面を滑らかに形成することができる。したがって、ハブにおける外周面の凹凸に起因する磁気テープの変形を生じさせることなくテープリールの回転をより確実に制止することができる。
【００２２】
また、本発明に係るカートリッジケースおよび情報記録媒体によれば、外周側の凸部におけるロック部材の側面に対向する面をその先端に向かうに従ってロック部材の側面から徐々に離間するように形成し、かつ内周側の凸部における第１歯部の側面に対向する面をその先端に向かうに従って第１歯部の側面から徐々に離間するように形成したことにより、例えば、テープリールがロック部材に対して偏芯していたとしても、外周側の凸部および内周側の凸部を嵌合位置にスムーズに案内することができるため、外周側の凸部と第２歯部との衝突、および内周側の凸部と第１歯部との衝突に起因するこれらの破損を確実に防止することができる。
【００２３】
また、本発明に係るカートリッジケースおよび情報記録媒体によれば、第２歯部の内周側でロック部材に嵌合する内周側の凸部を備えてテープリールを構成し、第１歯部によって形成される筒状体の外側でその筒状体に嵌合する外周側の凸部を備えてロック部材を構成したことにより、テープリールとロック部材とをより確実に位置決めすることができる。また、テープリールとロック部材との相対的な位置ずれをより確実に防止することができる。さらに、ハブの内周面にリブを設けていないため、ひけに起因する凹凸を生じさせることなくその外周面を滑らかに形成することができる。したがって、ハブにおける外周面の凹凸に起因する磁気テープの変形を生じさせることなくテープリールの回転をより確実に制止することができる。
【００２４】
また、本発明に係るカートリッジケースおよび情報記録媒体によれば、内周側の凸部におけるロック部材の側面に対向する面をその先端に向かうに従ってロック部材の側面から徐々に離間するように形成し、かつ外周側の凸部における第１歯部の側面に対向する面をその先端に向かうに従って第１歯部の側面から徐々に離間するように形成したことにより、例えば、テープリールがロック部材に対して偏芯していたとしても、内周側の凸部および外周側の凸部を嵌合位置にスムーズに案内することができるため、内周側の凸部と第２歯部との衝突、および外周側の凸部と第１歯部との衝突に起因するこれらの破損を確実に防止することができる。
【発明を実施するための最良の形態】
【００２５】
以下、本発明に係るカートリッジケースおよび情報記録媒体の最良の形態について、添付図面を参照して説明する。
【００２６】
最初に、テープカートリッジ１（本発明に係る情報記録媒体の一例）の構成について、図面を参照して説明する。
【００２７】
図１に示すテープカートリッジ１は、例えば、電子計算機に記録された記録データをバックアップするためのストレージデバイスとして使用されるＬＴＯ（Linear Tape Open）規格に準拠した１リールタイプのカートリッジ式の情報記録媒体であって、同図に示すように、ケース本体２、テープリール３、ブレーキ解除板４、ロック部材５、スプリング６およびドア部材７を備えて構成され、テープリール３には、図外の磁気テープが巻回される。この場合、磁気テープを除く各構成要素によって本発明に係るカートリッジケースが構成される。
【００２８】
ケース本体２は、図１に示すように、それぞれ浅皿状に形成されて互いに嵌合可能な下ケース１１および上ケース１２を備えて構成され、両ケース１１，１２の嵌合状態において形成される内部空間にテープリール３を回転可能に収容する。この場合、下ケース１１の底板１１ａには、図外のドライブ装置の駆動用シャフトを挿通させるための円形の開口部１１ｂがその中央部に形成されている。また、下ケース１１の側壁１１ｃには、テープリール３に巻回された磁気テープを外部に引き出すためのテープ引き出し口２ａを構成する切り欠き１１ｄが形成されている。一方、図２に示すように、上ケース１２における天板１２ａの内面中央部には、ロック部材５の回転を規制すると共にロック部材５を上下動可能に保持する（上下方向にガイドする）４本のガイド突起１２ｂ，１２ｂ・・が形成されている。また、上ケース１２の側壁１２ｃには、下ケース１１の切り欠き１１ｄと相俟ってテープ引き出し口２ａを構成する切り欠き１２ｄが形成されている。
【００２９】
テープリール３は、図１に示すように、ハブ２１、下フランジ２２および上フランジ２３を備えて構成されている。ハブ２１は、上端部側に開口部を有する有底円筒状に形成されて、その周囲に磁気テープを巻回可能に構成されている。また、ハブ２１における底板２１ａの内面には、図３，４に示すように、スプリング６によって付勢されたロック部材５の歯部５１ａと噛合する平面視円弧状の歯部２１ｂ，２１ｂ，２１ｂ（本発明における第１歯部に相当する）が、ハブ２１の軸線を中心とした同一円周上に位置するようにして形成されている。また、ハブ２１の底板２１ａには、図４に示すように、ブレーキ解除板４（図１参照）を上下動可能に取り付けるための挿通用孔２１ｃ，２１ｃ，２１ｃが、ハブ２１の軸線を中心とした同一円周上に位置するようにして形成されている。さらに、ハブ２１における底板２１ａの外面中央部には、図５に示すように、ドライブ装置の駆動用シャフトとハブ２１（テープリール３）とを磁力によって吸着するための金属板２４（図１も参照）が取り付けられている。また、底板２１ａの外面には、図５に示すように、ドライブ装置の駆動用シャフトの駆動用歯部（図示せず）と噛合する環状の歯部２１ｄ，２１ｄ，２１ｄが金属板２４を取り囲むようにして形成されている。
【００３０】
下フランジ２２は、図４，５に示すように、円板状に構成されてハブ２１の下端部に一体成形されている。上フランジ２３は、図１，３に示すように、円板状に構成されて、円形の中心孔２３ａの口縁部に形成された環状の突起部２３ｂをハブ２１の開口部に嵌め込んだ状態で例えば超音波溶着することにより、ハブ２１に固定されている。
【００３１】
ブレーキ解除板４は、図１に示すように、本体部４１と、ハブ２１の挿通用孔２１ｃに挿通可能に形成されて本体部４１の裏面（同図では下面）に立設された３本の脚部４２，４２，４２と、本体部４１における表面（同図では上面）の中央部に取り付けられた円形の金属板４３とを備えて構成されている。この場合、ブレーキ解除板４は、脚部４２，４２，４２がハブ２１の挿通用孔２１ｃ，２１ｃ，２１ｃにそれぞれ挿通されることにより、ハブ２１に対して相対的に回転不能でかつ上下動可能にハブ２１の内側における底板２１ａ側に配設される。
【００３２】
ロック部材５は、図１に示すように、本体部５１およびガイド部５２を備えて構成され、ケース本体２内（ハブ２１内）に収容される。本体部５１は、円板状に形成されると共に、図６に示すように、ハブ２１の歯部２１ｂに噛合可能な平面視環状の歯部５１ａ（本発明における第２歯部に相当する）がその底面（同図では上面）における外縁側に形成されている。また、本体部５１における歯部５１ａの内周側には、環状の位置決め用凸部５１ｂ（本発明における第２歯部の内周側に形成された内周側の凸部に相当する）が形成されている。この場合、位置決め用凸部５１ｂの突出長は歯部５１ａの歯高よりも長く規定されている。つまり、位置決め用凸部５１ｂは、図７に示すように、ハブ２１の歯部２１ｂと歯部５１ａとが噛合した状態において、歯部５１ａの歯先よりもハブ２１の底板２１ａ側に突出するように規定されている。また、位置決め用凸部５１ｂは、歯部２１ｂと歯部５１ａとが噛合した状態において歯部２１ｂ，２１ｂ，２１ｂによって形成される筒状体の内側でその筒状体に嵌合されるようにその外径が規定されている。さらに、位置決め用凸部５１ｂは、図９に示すように、その先端部における外周面（本発明における第１歯部の側面に対向する面）がその先端に向かうに従って歯部２１ｂの側面（内周面）から徐々に離間するように断面形状が直線的な傾斜面６１で形成されている。この場合、直線的な断面形状に限定されず、曲線や、直線と曲線とを組み合わせた断面形状に傾斜面６１を形成してもよい。また、図６，７に示すように、本体部５１の底面中央部には、テープリール３の回転時においてブレーキ解除板４の金属板４３に当接して金属板４３との間の摩擦抵抗を軽減するための突起部５１ｃが形成されている。
【００３３】
ガイド部５２は、図１に示すように、平面視十字状に形成されると共に、上ケース１２における４本のガイド突起１２ｂ，１２ｂ・・を挿入可能な平面視十字状のガイド溝５２ａが形成されて構成されている。また、ロック部材５は、テープカートリッジ１の非使用時において、上ケース１２のガイド突起１２ｂ，１２ｂ・・によって回転が規制されると共にスプリング６によって付勢されて、ハブ２１の歯部２１ｂ，２１ｂ，２１ｂに歯部５１ａが噛合させられることにより、テープリール３の回転を制止する。
【００３４】
スプリング６は、図１に示すように、コイルスプリングで構成されると共に、上ケース１２とロック部材５との間に配設されて、テープリール３におけるハブ２１の底板２１ａ側に向けてロック部材５を付勢する。ドア部材７は、同図に示すように、テープ引き出し口２ａを閉塞可能な薄板状に形成されて、下ケース１１の側壁１１ｃおよび上ケース１２の側壁１２ｃにそれぞれ形成された案内溝にスライド可能に収納される。
【００３５】
次に、テープカートリッジ１を使用した際の各構成要素の動きについて、図面を参照して説明する。
【００３６】
このテープカートリッジ１が図外のドライブ装置から取り出されている状態、つまり非使用時においては、図７に示すように、ロック部材５が、スプリング６によって付勢されてブレーキ解除板４を押圧しつつハブ２１の底板２１ａ側に移動させられている。この際には、ロック部材５の歯部５１ａが、ハブ２１の歯部２１ｂに噛合させられている。また、ロック部材５は、ガイド部５２のガイド溝５２ａに挿入された上ケース１２のガイド突起１２ｂ，１２ｂ・・によってその回転が規制されている。このため、ハブ２１（テープリール３）は、ロック部材５およびガイド突起１２ｂ，１２ｂ・・によってその回転が制止される。この結果、テープリール３に巻回された磁気テープ（図示せず）の弛みが防止される。また、この状態においては、同図に示すように、ロック部材５の位置決め用凸部５１ｂが、歯部２１ｂ，２１ｂ，２１ｂによって形成される筒状体の内側でその筒状体に嵌合させられている。このため、ハブ２１の軸線Ｓ（図１参照）に直交する面方向に沿ったハブ２１のロック部材５に対する相対的な移動が規制される結果、例えば、テープカートリッジ１に外力が加えられたとしても、歯部２１ｂと歯部５１ａとが確実に噛合した状態に維持される。
【００３７】
一方、テープカートリッジ１がドライブ装置の装填部に装填された際には、ドライブ装置によってドア部材７がスライドさせられてテープ引き出し口２ａが開口される。次に、例えば、装填部が、ドライブ装置内の駆動用シャフトの先端部に向けてテープカートリッジ１を移動させることにより、図８に示すように、ブレーキ解除板４の脚部４２，４２，４２が、駆動用シャフト（図示せず）によって押圧される。この結果、ロック部材５が、上ケース１２のガイド突起１２ｂ，１２ｂ・・によってガイドされつつブレーキ解除板４によって上ケース１２の天板１２ａ側に向けて押し込まれる。この状態では、ロック部材５の歯部５１ａとハブ２１の歯部２１ｂとの噛合が解除されると共に、位置決め用凸部５１ｂと歯部２１ｂ，２１ｂ，２１ｂによって形成される筒状体との嵌合が解除される。また、駆動用シャフトの先端部に配設された駆動用歯部（図示せず）とハブ２１の歯部２１ｄとが噛合すると共に、磁力によって駆動用シャフトの先端部にテープリール３の金属板２４が吸着されることにより、駆動用シャフトとテープリール３とがチャッキングされる。
【００３８】
次に、ドライブ装置が、テープリール３に巻回されている磁気テープをテープ引き出し口２ａからケース本体２の外部に引き出す。次いで、ドライブ装置側のテープリールが磁気テープを巻回すると共に、ドライブ装置の駆動シャフトが磁気テープの引き出し速度に応じた回転速度で回転し、これに伴って、テープリール３が回転する。続いて、ドライブ装置の記録再生部が磁気テープに対する記録データの記録や磁気テープからの記録データの読み出しを実行する。次に、記録データの記録や読み出しが終了した際には、駆動シャフトが磁気テープを巻き戻す方向に回転することにより、磁気テープがテープリール３に巻き戻される。この場合、このテープリール３におけるハブ２１の内周面にはリブ等の肉厚部が設けられていないため、ハブ２１の外周面は、製造時のひけに起因する凹凸のない滑らかな状態に形成されている。したがって、凹凸に起因する変形を生じさせることなく磁気テープをテープリール３に巻き戻す（巻回する）ことができる。
【００３９】
次いで、磁気テープの巻き戻しが終了した際には、装填部が、駆動用シャフトの先端部からテープカートリッジ１を離間させる。この際に、スプリング６によって付勢されているロック部材５がブレーキ解除板４を押圧しつつハブ２１の底板２１ａ側に移動させられて、ロック部材５の位置決め用凸部５１ｂが、ハブ２１における歯部２１ｂ，２１ｂ，２１ｂによって形成される筒状体の内側でその筒状体に嵌合させられる。したがって、ハブ２１とロック部材５とが互いに位置決めされる。ここで、図９に示すように、位置決め用凸部５１ｂの先端部にその先端に向かうに従って歯部２１ｂの内周面から徐々に離間する傾斜面６１が形成されているため、例えば、ハブ２１（テープリール３）がロック部材５に対して偏芯していたとしても、その傾斜面６１によって位置決め用凸部５１ｂが歯部２１ｂ，２１ｂ，２１ｂで形成される筒状体の内側にスムーズに案内される。続いて、ロック部材５の歯部５１ａがハブ２１の歯部２１ｂに噛合させられる。この場合、歯部２１ｂ，２１ｂ，２１ｂで形成される筒状体と位置決め用凸部５１ｂとの嵌合によってハブ２１とロック部材５とが互いに位置決めされているため、歯部２１ｂと歯部５１ａとが確実に噛合される。これにより、上記した非使用時における状態と同様にして、ハブ２１（テープリール３）の回転が制止されて、テープリール３に巻回された磁気テープの弛みが確実に防止される。
【００４０】
このように、このテープカートリッジ１によれば、テープリール３におけるハブ２１の歯部２１ｂとロック部材５の歯部５１ａとの噛合状態において、歯部２１ｂ，２１ｂ，２１ｂで形成される筒状体の内側でその筒状体に嵌合する位置決め用凸部５１ｂを備えてロック部材５を構成したことにより、歯部２１ｂと歯部５１ａとを噛合させる際にテープリール３とロック部材５とを確実に位置決めすることができるため、歯部２１ｂと歯部５１ａとを確実に噛合させることができる。また、非使用時においてテープリール３とロック部材５との相対的な位置ずれを確実に防止することができるため、例えば、テープカートリッジ１に外力が加えられたとしても歯部２１ｂと歯部５１ａとの確実な噛合状態を維持することができる。さらに、従来の磁気テープカートリッジとは異なり、ハブ２１にリブを設けていないため、例えば、射出成形によってハブ２１（テープリール３）を製造する際に、ひけに起因する凹凸を生じさせることなくその外周面を滑らかに形成することができる。したがって、ハブ２１における外周面の凹凸に起因する磁気テープの変形を生じさせることなくテープリール３の回転を確実に制止することができる。
【００４１】
また、位置決め用凸部５１ｂの先端部における外周面をその先端に向かうに従って歯部２１ｂの側面から徐々に離間する傾斜面６１で形成したことにより、ロック部材５がハブ２１の底板２１ａに向けて移動させられる際に、例えば、テープリール３がロック部材５に対して偏芯していたとしても、その傾斜面６１で位置決め用凸部５１ｂを歯部２１ｂ，２１ｂ，２１ｂで形成される筒状体の内側にスムーズに案内することができる。したがって、位置決め用凸部５１ｂの先端部と歯部２１ｂとが衝突して両者が破損する事態を確実に防止することができる。
【００４２】
また、ロック部材５の内周側に位置決め用凸部５１ｂを形成したことにより、例えばロック部材５がテープリール３に対して傾斜したとしても、位置決め用凸部５１ｂがテープリール３の歯部２１ｂに接触し難いため、位置決め用凸部５１ｂと歯部２１ｂとの接触に起因する異音の発生や両者の摩耗を確実に防止することができる。
【００４３】
なお、本発明は、上記の構成に限定されない。例えば、ロック部材５における本体部５１の内周側に位置決め用凸部５１ｂを形成した例について上記したが、図１０に示すように、本体部５１の外周側に環状の位置決め用凸部５１ｄ（本発明における第２歯部の外周側に形成された外周側の凸部に相当する）を形成したロック部材５Ａを採用することもできる。この場合、ロック部材５Ａでは、ロック部材５の位置決め用凸部５１ｂにおける傾斜面６１と同じ機能を有する傾斜面７１が位置決め用凸部５１ｄに形成されている。なお、同図および図１１において、上記したロック部材５の構成要素と同一の機能を有するものについては、同一の符号を付して重複した説明を省略する。また、図１１に示すように、本体部５１の内周側に位置決め用凸部５１ｂを形成すると共に、本体部５１の外周側に位置決め用凸部５１ｄを形成したロック部材５Ｂを採用することもできる。この場合、ロック部材５Ａまたはロック部材５Ｂを備えたテープカートリッジ（情報記録媒体）においても、テープカートリッジ１と同様にして、磁気テープの変形を生じさせることなくテープリール３の回転を確実に制止することができる。
【００４４】
また、図１２に示すテープカートリッジ１Ａを採用することもできる。なお、図１２〜図１８において、上記したテープカートリッジ１の構成要素と同一の機能を有するものについては、同一の符号を付して重複した説明を省略する。このテープカートリッジ１Ａは、図１２〜図１４に示すように、平面視円弧状で薄板状の位置決め用凸部２１ｅ，２１ｅ，２１ｅ（本発明における第１歯部の外周側に形成された外周側の凸部に相当する）が各歯部２１ｂ，２１ｂ，２１ｂの外周側の縁部に沿ってそれぞれ形成されたハブ３１を有するテープリール３Ａと、図１２に示すように、上記した位置決め用凸部５１ｂや位置決め用凸部５１ｄが形成されていないロック部材５Ｃとを備えている。この場合、位置決め用凸部２１ｅの突出長は歯部２１ｂの歯高よりも長く規定されている。つまり、位置決め用凸部２１ｅは、同図に示すように、歯部２１ｂとロック部材５Ｃの歯部５１ａとが噛合した状態において、歯部２１ｂの歯先よりもハブ３１の開口部側に突出するように規定されている。また、位置決め用凸部２１ｅは、歯部２１ｂと歯部５１ａとが噛合した状態において、歯部５１ａの外周側でロック部材５Ｃに嵌合するようにその曲率半径等が規定されている。さらに、位置決め用凸部２１ｅは、その先端部における内周面（本発明における第２歯部の外周側の側面に対向する面）がその先端に向かうに従ってロック部材５Ｃの側面（外周面）から徐々に離間するように断面形状が直線的な傾斜面８１で形成されている。この場合、直線的な断面形状に限定されず、曲線や、直線と曲線とを組み合わせた断面形状に傾斜面８１を形成してもよい。
【００４５】
このテープカートリッジ１Ａでは、歯部２１ｂと歯部５１ａとを噛合させる際に、図１２に示すように、位置決め用凸部２１ｅが歯部５１ａの外周側でロック部材５Ｃに嵌合する。このため、テープリール３Ａとロック部材５Ｃとを確実に位置決めすることができる結果、歯部２１ｂと歯部５１ａとを確実に噛合させることができる。また、非使用時において位置決め用凸部２１ｅがロック部材５Ｃに嵌合しているため、テープリール３Ａとロック部材５Ｃとの相対的な位置ずれを確実に防止することができる結果、例えば、テープカートリッジ１Ａに外力が加えられたとしても、歯部２１ｂと歯部５１ａとの確実な噛合状態を維持することができる。さらに、従来の磁気テープカートリッジとは異なり、ハブ３１にリブを設けていないため、ハブ３１の外周面を滑らかに形成することができる。したがって、ハブ３１における外周面の凹凸に起因する磁気テープの変形を生じさせることなくテープリール３Ａの回転を確実に制止することができる。また、位置決め用凸部２１ｅの先端部を傾斜面８１で形成したことにより、ロック部材５がハブ３１の底板３１ａに向けて移動させられる際に、例えば、テープリール３Ａがロック部材５Ｃに対して偏芯していたとしても、位置決め用凸部２１ｅの先端部と歯部５１ａとが衝突して両者が破損する事態を確実に防止することができる。
【００４６】
また、図１５に示すテープカートリッジ１Ｂを採用することもできる。このテープカートリッジ１Ｂは、同図に示すように、平面視円弧状で薄板状の位置決め用凸部２１ｆ，２１ｆ，２１ｆ（本発明における第１歯部の内周側に形成された内周側の凸部に相当する）が各歯部２１ｂ，２１ｂ，２１ｂの内周側の縁部に沿ってそれぞれ形成されたハブ３２を有するテープリール３Ｂと、歯部５１ａの内周側に平面視環状の凹部５１ｅが形成されたロック部材５Ｄとを備えている。この場合、位置決め用凸部２１ｆの突出長は、歯部２１ｂとロック部材５Ｄの歯部５１ａとが噛合した状態において、歯部２１ｂの歯先よりもハブ３２の開口部側に突出するようにその突出長が規定されている。また、位置決め用凸部２１ｆは、歯部２１ｂと歯部５１ａとが噛合した状態において、ロック部材５Ｄの凹部５１ｅに（つまり歯部５１ａの内周側でロック部材５Ｄに）嵌合するようにその曲率半径等が規定されている。さらに、位置決め用凸部２１ｆには、同図に示すように、上記した傾斜面８１と同じ機能を有する傾斜面９１が形成されている。このテープカートリッジ１Ｂにおいても、テープカートリッジ１Ａと同様にして、磁気テープの変形を生じさせることなくテープリール３Ｂの回転を確実に制止することができると共に、位置決め用凸部２１ｆの先端部と歯部５１ａとが衝突して両者が破損する事態を確実に防止することができる。
【００４７】
また、図１６に示すように、上記の位置決め用凸部２１ｅ，２１ｅ，２１ｅおよび上記の位置決め用凸部２１ｆ，２１ｆ，２１ｆが共に形成されたハブ３３を有するテープリール３Ｃと、上記のロック部材５Ｄとを備えたテープカートリッジ１Ｃを採用することもできる。このテープカートリッジ１Ｃにおいても、テープカートリッジ１Ａ，１Ｂと同様にして、磁気テープの変形を生じさせることなくテープリール３Ｃの回転を確実に制止することができると共に、位置決め用凸部２１ｅ，２１ｆの先端部と歯部５１ａとが衝突して両者が破損する事態を確実に防止することができる。
【００４８】
さらに、図１７に示すように、位置決め用凸部２１ｅ，２１ｅ，２１ｅが形成されたハブ３１を有する上記のテープリール３Ａと、位置決め用凸部５１ｂが形成された上記のロック部材５とを備えたテープカートリッジ１Ｄを採用することもできる。また、図１８に示すように、位置決め用凸部２１ｆ，２１ｆ，２１ｆが形成されたハブ３２を有する上記のテープリール３Ｂと、位置決め用凸部５１ｄおよび凹部５１ｅが共に形成されたロック部材５Ｅとを備えたテープカートリッジ１Ｅを採用することもできる。これらのテープカートリッジ１Ｄ，１Ｅにおいても、テープカートリッジ１，１Ａ〜１Ｃと同様にして、磁気テープの変形を生じさせることなくテープリール３Ａやテープリール３Ｂの回転を確実に制止することができると共に、位置決め用凸部５１ｂや位置決め用凸部５１ｄと歯部２１ｂとの衝突によるこれらの破損、および位置決め用凸部２１ｅや位置決め用凸部２１ｆと歯部５１ａとの衝突によるこれらの破損を確実に防止することができる。
【図面の簡単な説明】
【００４９】
【図１】テープカートリッジ１の分解斜視図である。
【図２】上ケース１２の斜視図である。
【図３】テープカートリッジ１の断面図である。
【図４】ハブ２１および下フランジ２２の平面図である。
【図５】ハブ２１および下フランジ２２の斜視図である。
【図６】ロック部材５の斜視図である。
【図７】非使用時におけるテープカートリッジ１の断面図である。
【図８】使用時におけるテープカートリッジ１の断面図である。
【図９】ロック部材５およびハブ２１の要部断面図である。
【図１０】ロック部材５Ａの断面図である。
【図１１】ロック部材５Ｂの断面図である。
【図１２】テープカートリッジ１Ａの断面図である。
【図１３】ハブ３１および下フランジ２２の平面図である。
【図１４】ハブ３１および下フランジ２２の斜視図である。
【図１５】テープカートリッジ１Ｂの断面図である。
【図１６】テープカートリッジ１Ｃの断面図である。
【図１７】テープカートリッジ１Ｄの断面図である。
【図１８】テープカートリッジ１Ｅの断面図である。
【符号の説明】
【００５０】
１，１Ａ〜１Ｅ  テープカートリッジ
２  ケース本体
３，３Ａ〜３Ｃ  テープリール
５，５Ａ〜５Ｅ  ロック部材
２１，３１〜３３  ハブ
２１ａ，３１ａ  底板
２１ｂ  歯部
２１ｅ，２１ｆ，５１ｂ，５１ｄ  位置決め用凸部
６１，７１，８１，９１  傾斜面
【図１】
2005339753.tif 000003
【図２】
2005339753.tif 000004
【図３】
2005339753.tif 000005
【図４】
2005339753.tif 000006
【図５】
2005339753.tif 000007
【図６】
2005339753.tif 000008
【図７】
2005339753.tif 000009
【図８】
2005339753.tif 000010
【図９】
2005339753.tif 000011
【図１０】
2005339753.tif 000012
【図１１】
2005339753.tif 000013
【図１２】
2005339753.tif 000014
【図１３】
2005339753.tif 000015
【図１４】
2005339753.tif 000016
【図１５】
2005339753.tif 000017
【図１６】
2005339753.tif 000018
【図１７】
2005339753.tif 000019
【図１８】
2005339753.tif 000020